(57)【要約】【課題】広告宣伝効果を向上させる広告システムの提供。【解決手段】広告システム１は、広告管理会社の管理サーバ２と、広告主の広告主端末３とで構成される。管理サーバ２と広告主端末３は、インターネット１０を介して通信可能である。管理サーバ２は、エレベータが設置された集合住宅に関する情報を記録する集合住宅情報データベース４と、集合住宅情報データベースに記録された集合住宅の分布に関する情報を記録する集合住宅分布情報データベース５を備える。広告主端末３は、広告を見てもらいたい対象者の条件を管理サーバ２へ送信する対象者条件送信手段１１を備える。管理サーバ２は、対象集合住宅情報抽出手段６と、対象集合住宅情報送信手段７とを備える。広告主端末３は、選択集合住宅情報送信手段１２を備える。管理サーバ２は、広告掲示集合住宅情報データベース８と、広告情報データベース９を備える。【選択図】図１
2009157024.tif 000002
【特許請求の範囲】
【請求項１】
管理サーバと、該管理サーバと通信可能な広告主端末とによって、広告がエレベータに掲示される集合住宅を決定する広告システムであって、
前記管理サーバは、エレベータが設置された集合住宅に関する情報を記録する集合住宅情報記録手段と、
該集合住宅情報記録手段に記録された集合住宅の分布に関する情報を記録する集合住宅分布情報記録手段とを備え、
前記広告主端末は、広告を見てもらいたい対象者の条件を、通信回線を介して前記管理サーバへ送信する対象者条件送信手段を備え、
前記管理サーバは、該対象者条件送信手段によって送信された対象者の条件に基づいて、前記集合住宅情報記録手段に記録された集合住宅情報から、前記対象者の条件に合う対象者が居住する対象集合住宅に関する情報を抽出すると共に、該対象集合住宅の分布情報を前記集合住宅分布情報記録手段から抽出する対象集合住宅情報抽出手段と、
該対象集合住宅情報抽出手段によって抽出された対象集合住宅情報及び対象集合住宅分布情報を、通信回線を介して前記広告主端末へ送信する対象集合住宅情報送信手段とを備え、
前記広告主端末は、該対象集合住宅情報送信手段によって送信された対象集合住宅分布情報から選択した、広告がエレベータに掲示される集合住宅の情報を、通信回線を介して前記管理サーバへ送信する選択集合住宅情報送信手段を備える
ことを特徴とする広告システム。
【請求項２】
前記管理サーバは、前記選択集合住宅情報送信手段によって送信された、広告がエレベータに掲示される集合住宅の情報を記録する広告掲示集合住宅情報記録手段と、
掲示される広告情報を記録する広告情報記録手段とを備える
ことを特徴とする請求項１に記載の広告システム。
【請求項３】
広告主端末と通信可能な管理サーバを有すると共に、広告がエレベータに掲示される集合住宅を決定する広告システムであって、
前記管理サーバは、エレベータが設置された集合住宅に関する情報を記録する集合住宅情報記録手段と、
該集合住宅情報記録手段に記録された集合住宅の分布に関する情報を記録する集合住宅分布情報記録手段と、
広告を見てもらいたい対象者の条件を、通信回線を介して前記広告主端末から受信する対象者条件受信手段と、
該対象者条件受信手段によって受信した対象者の条件に基づいて、前記集合住宅情報記録手段に記録された集合住宅情報から、前記対象者の条件に合う対象者が居住する対象集合住宅に関する情報を抽出すると共に、該対象集合住宅の分布情報を前記集合住宅分布情報記録手段から抽出する対象集合住宅情報抽出手段と、
該対象集合住宅情報抽出手段によって抽出された対象集合住宅情報及び対象集合住宅分布情報を、通信回線を介して前記広告主端末へ送信する対象集合住宅情報送信手段と、
該対象集合住宅情報送信手段によって送信された対象集合住宅分布情報から前記広告主端末によって選択された、広告がエレベータに掲示される集合住宅の情報を、通信回線を介して前記広告主端末から受信する選択集合住宅情報受信手段とを備える
ことを特徴とする広告システム。
【請求項４】
前記管理サーバは、前記選択集合住宅情報受信手段によって受信した、広告がエレベータに掲示される集合住宅の情報を記録する広告掲示集合住宅情報記録手段と、
掲示される広告情報を記録する広告情報記録手段とを備える
ことを特徴とする請求項３に記載の広告システム。
【発明の詳細な説明】
【技術分野】
【０００１】
本発明は広告システムに関する。詳しくは、広告がエレベータに掲示される集合住宅を決定する広告システムに係るものである。
【背景技術】
【０００２】
従来、エレベータの中にいる人間は、外を見ることができるエレベータの中にいる場合は別として、特に他人同士であれば目のやり場に困り、手持ち無沙汰であることが多かった。
【０００３】
そこで、エレベータ内の人間が手持ち無沙汰に過ごす時間を解消するために、特許文献１には、図３に示すような、平常時には非常用及び保守メンテナンス用の通信回線を利用してエレベータ内に広告情報を送信するエレベータ内広告装置が記載されている。即ち、特許文献１に記載のエレベータ内広告装置は、エレベータ１０１と、エレベータ管理会社１０２と、エレベータ１０１とエレベータ管理会社１０２の間で音声を送受するための通信回線１０３と、エレベータ内に設置された非常時の連絡に使用する第１の送受話手段１０４とからなる。エレベータ管理会社１０２に設置された広告音声管理手段１０６の音声記録手段に、広告音声情報をあらかじめ記録しておき、エレベータ側のボタンが押下されない時、つまり非常時やメンテナンス時以外の平常時には、データ切換手段１０７は接点イと接点ウを接続するよう動作し、広告音声管理手段１０６の出力が通信回線１０３に接続され、音声記録手段に記録されている広告音声情報を音声送出手段から通信回線１０３に対して送出し、エレベータ１０１に設置されている第１の送受話手段１０４のスピーカから広告音声を再生する。また、エレベータ側のボタンが押下された時、つまり非常時やメンテナンス時などにエレベータ１０１の室内とエレベータ管理会社１０２間で会話が必要となった場合には、ボタンが押下されると、その情報が通信回線１０３を経由してエレベータ管理会社側のデータ切換手段１０７に送られ、データ切換手段１０７は第２の送受話手段１０５が通信回線１０３に対して出力できるように切り替えられる。つまり、データ切換手段１０７の接点アと接点ウが接続され、第１の送受話手段１０４のマイク、スピーカとエレベータ管理会社内の第２の送受話手段１０５のスピーカ、マイクとを使用して、エレベータ１０１内の乗客とエレベータ管理会社内の管理者が通話することができる。
【０００４】
【特許文献１】特開２００２−３３８１５５号公報
【発明の開示】
【発明が解決しようとする課題】
【０００５】
しかしながら、従来のエレベータ内広告装置では、対象（ターゲット）とする消費者を絞り込まずに、無作為に広告宣伝を行なっていたため、広告宣伝効果がまだ不充分であった。
【０００６】
本発明は、以上の点に鑑みて創案されたものであり、広告宣伝効果を向上させる広告システムを提供することを目的とする。
【課題を解決するための手段】
【０００７】
上記の目的を達成するために、本発明の広告システムは、管理サーバと、該管理サーバと通信可能な広告主端末とによって、広告がエレベータに掲示される集合住宅を決定する広告システムであって、前記管理サーバは、エレベータが設置された集合住宅に関する情報を記録する集合住宅情報記録手段と、該集合住宅情報記録手段に記録された集合住宅の分布に関する情報を記録する集合住宅分布情報記録手段とを備え、前記広告主端末は、広告を見てもらいたい対象者の条件を、通信回線を介して前記管理サーバへ送信する対象者条件送信手段を備え、前記管理サーバは、該対象者条件送信手段によって送信された対象者の条件に基づいて、前記集合住宅情報記録手段に記録された集合住宅情報から、前記対象者の条件に合う対象者が居住する対象集合住宅に関する情報を抽出すると共に、該対象集合住宅の分布情報を前記集合住宅分布情報記録手段から抽出する対象集合住宅情報抽出手段と、該対象集合住宅情報抽出手段によって抽出された対象集合住宅情報及び対象集合住宅分布情報を、通信回線を介して前記広告主端末へ送信する対象集合住宅情報送信手段とを備え、前記広告主端末は、該対象集合住宅情報送信手段によって送信された対象集合住宅分布情報から選択した、広告がエレベータに掲示される集合住宅の情報を、通信回線を介して前記管理サーバへ送信する選択集合住宅情報送信手段を備えることを特徴とする。
【０００８】
ここで、対象集合住宅情報抽出手段によって抽出された対象集合住宅情報及び対象集合住宅分布情報を、通信回線を介して広告主端末へ送信する対象集合住宅情報送信手段によって、広告主に対して広告掲示可能エリアと広告掲示可能物件を同時に提供することができ、物件の指定が容易になる。
なお、ここで言う「エレベータ」には、エレベータを待つ者が見るエレベータの外扉も含まれる。
【０００９】
また、本発明の広告システムにおいて、管理サーバは、選択集合住宅情報送信手段によって送信された、広告がエレベータに掲示される集合住宅の情報を記録する広告掲示集合住宅情報記録手段と、掲示される広告情報を記録する広告情報記録手段とを備える場合、広告が掲示された物件と、掲示された広告の内容とを管理することができる。
【００１０】
また、上記の目的を達成するために、本発明の広告システムは、広告主端末と通信可能な管理サーバを有すると共に、広告がエレベータに掲示される集合住宅を決定する広告システムであって、前記管理サーバは、エレベータが設置された集合住宅に関する情報を記録する集合住宅情報記録手段と、該集合住宅情報記録手段に記録された集合住宅の分布に関する情報を記録する集合住宅分布情報記録手段と、広告を見てもらいたい対象者の条件を、通信回線を介して前記広告主端末から受信する対象者条件受信手段と、該対象者条件受信手段によって受信した対象者の条件に基づいて、前記集合住宅情報記録手段に記録された集合住宅情報から、前記対象者の条件に合う対象者が居住する対象集合住宅に関する情報を抽出すると共に、該対象集合住宅の分布情報を前記集合住宅分布情報記録手段から抽出する対象集合住宅情報抽出手段と、該対象集合住宅情報抽出手段によって抽出された対象集合住宅情報及び対象集合住宅分布情報を、通信回線を介して前記広告主端末へ送信する対象集合住宅情報送信手段と、該対象集合住宅情報送信手段によって送信された対象集合住宅分布情報から前記広告主端末によって選択された、広告がエレベータに掲示される集合住宅の情報を、通信回線を介して前記広告主端末から受信する選択集合住宅情報受信手段とを備えることを特徴とする。
【００１１】
ここで、対象集合住宅情報抽出手段によって抽出された対象集合住宅情報及び対象集合住宅分布情報を、通信回線を介して広告主端末へ送信する対象集合住宅情報送信手段によって、広告主に対して広告掲示可能エリアと広告掲示可能物件を同時に提供することができ、物件の指定が容易になる。
【発明の効果】
【００１２】
本発明に係る広告システムによって、広告宣伝効果が向上する。
【発明を実施するための最良の形態】
【００１３】
以下、本発明の実施の形態について図面を参照しながら説明し、本発明の理解に供する。
図１は、本発明を適用した広告システムの構成の一例を説明する概略図である。本発明の広告システム１は、広告管理会社が利用する管理サーバ２と、広告主が利用する広告主端末３とで構成される。また、管理サーバ２と広告主端末３とは、インターネット（通信回線の一例である。）１０を介して通信可能である。
【００１４】
また、管理サーバ２は、エレベータが設置された集合住宅（マンション等）に関する情報（例えば、マンション名、入居戸数、入居者情報、エレベータの数、マンションのオーナー情報、マンション管理会社の情報）を記録する集合住宅情報データベース（集合住宅情報記録手段の一例である。）４と、集合住宅情報データベースに記録された集合住宅の分布に関する情報（例えば、マンション分布図）を記録する集合住宅分布情報データベース（集合住宅分布情報記録手段の一例である。）５とを備える。
【００１５】
また、広告主端末３は、広告を見てもらいたい対象者の条件（例えば、２０代の独身女性、３０〜４０代の主婦、６０代以降の退職者）を、インターネット１０を介して管理サーバ２へ送信する対象者条件送信手段１１を備える。
【００１６】
また、管理サーバ２は、対象者条件送信手段１１によって送信された対象者の条件に基づいて、集合住宅情報データベース４に記録された集合住宅情報から、対象者の条件に合う対象者が居住する対象集合住宅に関する情報を抽出すると共に、対象集合住宅の分布情報を集合住宅分布情報データベースから抽出する対象集合住宅情報抽出手段６と、対象集合住宅情報抽出手段６によって抽出された対象集合住宅情報及び対象集合住宅分布情報を、インターネット１０を介して広告主端末３へ送信する対象集合住宅情報送信手段７とを備える。
【００１７】
また、広告主端末３は、対象集合住宅情報送信手段７によって送信された対象集合住宅分布情報から選択した、広告がエレベータに掲示される集合住宅の情報を、インターネット１０を介して管理サーバ２へ送信する選択集合住宅情報送信手段１２を備える。
【００１８】
また、管理サーバ２は、選択集合住宅情報送信手段１２によって送信された、広告がエレベータに掲示される集合住宅の情報（例えば、広告掲示の残り期間、空き掲示板数）を記録する広告掲示集合住宅情報データベース（広告掲示集合住宅情報記録手段の一例である。）８と、掲示される広告情報を記録する広告情報データベース（広告情報記録手段の一例である。）９とを備える。
【００１９】
ここで、通信回線の例としてインターネットを挙げているが、必ずしもインターネットでなくてもよく、通信が可能であれば、例えばＬＡＮ回線や専用回線を用いてもよい。
また、管理サーバは、集合住宅情報データベースと、集合住宅分布情報データベースと、対象集合住宅情報抽出手段と、対象集合住宅情報送信手段とを備えていれば、必ずしも広告掲示集合住宅情報データベースや、広告情報データベースを備えていなくてもよいが、管理サーバが、広告掲示集合住宅情報データベースや、広告情報データベースを備えていれば、どの物件のエレベータにどのような内容の広告が掲示されているかが把握できるため好ましい。
【００２０】
また、本発明の広告システムを利用して、広告を掲示するエレベータがあるマンションを決定した後に、実際に広告を掲示する場合、例えば全部開閉式のパネルを用いることで、広告の張替えを容易にすると共に、エレベータの景観を損ねることなく広告を掲示できる。
また、掲示される広告には、例えば携帯電話機で読取り可能な二次元コードが掲載され、これにより、消費者が情報を容易に入手できると共に、消費者が広告主の提供するサービスの会員登録を行い広告主の各種サービスが消費者に提供できる。また、広告掲示用パネルには、広告管理会社の連絡先が記載される。
【００２１】
また、管理サーバは、エレベータ内広告の実績（例えば広告が掲示された物件の場所や数）と顧客獲得数との相関データを作成する広告実績評価手段を備えることもできる。ここで、広告実績評価手段によって得られる、広告実績と顧客獲得数との相関データは、広告管理会社にとって今後の営業に重要な材料となり得るばかりでなく、広告主へのフィードバックも行なうことができる。
【００２２】
図２は、本発明を適用した広告システムの流れを説明する概略フロー図である。
広告主は、広告管理会社に対して、例えば広告主が利用する端末を用いて電子メールにて、広告を見てもらいたい対象者の条件例えば「２０〜３０代の独身女性」という条件を送って、広告管理会社のデータベースで物件検索を申し込む（ステップＳ１）。
次に、対象者の条件を電子メールによって受信した広告管理会社の管理サーバは、対象者の条件に基づいて、管理サーバ内の集合住宅情報データベースに記録された集合住宅情報から、対象者の条件に合う対象者が居住する対象となるマンション情報を抽出すると共に、対象となるマンションの分布図を集合住宅分布情報データベースから抽出する（ステップＳ２）。
次に、抽出された対象となるマンション情報及び対象となるマンションの分布図を、電子メールによって広告主の端末へ送信し、広告主に対して情報を提示する（ステップＳ３）。
更に、広告主は、送信された対象集合住宅分布情報から、広告を掲示したい物件を選択して、選択結果を、掲示したい広告の広告情報と共に、広告管理会社へ電子メールで送信する（ステップＳ４）。なお、掲示したい広告は、印刷物の状態で広告管理会社へ送られてもよい。
そして、広告管理会社は、電子メールで受信した選択結果及び広告情報を基に、実際に、対象となるマンションのエレベータに広告を掲示する（ステップＳ５）。
また、広告管理会社は、選択された物件についての情報を広告掲示集合住宅データベースに記録すると共に、掲示されている広告の内容についても広告情報データベースに記録して、これらの情報を管理する。
【００２３】
以上のように、本発明の広告システムは、広告主が、広告を見てもらいたい対象者の条件を広告管理会社に提示すると、広告管理会社は、エレベータが設置されたマンション等の集合住宅情報が記録されたデータベースから対象者の条件に合う対象者が居住する対象となるマンション情報を抽出すると共に、対象となるマンションの分布図を集合住宅分布情報データベースから抽出して、広告主に提示し、広告主は、提示されたマンションから選んで、選んだマンションのエレベータに広告を掲示してもらうので、対象者が充分に絞り込まれ、無作為に広告宣伝する場合に比べて広告宣伝効果が向上する。
【図面の簡単な説明】
【００２４】
【図１】本発明を適用した広告システムの構成の一例を説明する概略図である。
【図２】本発明を適用した広告システムの流れを説明する概略フロー図である。
【図３】従来のエレベータ内広告装置を説明する概略図である。
【符号の説明】
【００２５】
１    広告システム
２    管理サーバ
３    広告主端末
４    集合住宅情報データベース
５    集合住宅分布情報データベース
６    対象集合住宅情報抽出手段
７    対象集合住宅情報送信手段
８    広告掲示集合住宅情報データベース
９    広告情報データベース
１０    インターネット
１１    対象者条件送信手段
１２    選択集合住宅情報送信手段
【図１】
2009157024.tif 000003
【図２】
2009157024.tif 000004
【図３】
2009157024.tif 000005